(57)【要約】【課題】チャンネルを切替える際にデータ出力が途切れることがなく、利用者に違和感を与えないデジタル放送受信装置を実現する。【解決手段】主チューナ２によるデータ受信に平行して、主チューナ２で受信されているチャンネル以外のチャンネルを順次切替えて副チューナ３で受信し、放送データ記憶部１０が、チャンネルごとに副チューナ３における受信データを記憶し、主チューナ２で受信するチャンネルが別のチャンネルに切替わった際に、新たなチャンネルのデータを主チューナ２が受信し、復号部６が新たなチャンネルの受信データに対して復号を行うまでの間、放送データ記憶部１０に記憶されている記憶データを利用して表示部１２に映像を表示することで、チャンネル切替時にデータ出力が途切れることがなく、利用者に違和感を与えない。【選択図】図１
2010028251.tif 000002
【特許請求の範囲】
【請求項１】
データを受信する第１のチューナと第２のチューナと、
３つ以上のチャンネルの中から前記第１のチューナによるデータ受信の対象となるチャンネルを第１のチューナ用チャンネルとして指定し、前記第１のチューナ用チャンネルを前記第１のチューナに通知し、前記第１のチューナに前記第１のチューナ用チャンネルで配信されているデータの受信を開始させる第１のチューナ制御部と、
前記第１のチューナ用チャンネル以外の２つ以上のチャンネルを前記第２のチューナによるデータ受信の対象となる第２のチューナ用チャンネルとして指定し、いずれかの第２のチューナ用チャンネルを前記第２のチューナに通知し、通知した第２のチューナ用チャンネルで配信されているデータの受信を前記第２のチューナに開始させるとともに、所定の切替えタイミングごとに、前記第２のチューナ用チャンネルの切替えを前記第２のチューナに指示し、切替え後の第２のチューナ用チャンネルで配信されているデータの受信を前記第２のチューナに開始させる第２のチューナ制御部と、
前記第２のチューナにより受信されたデータを、受信元のチャンネルと対応付けて記憶する第２のチューナ受信データ記憶部とを有することを特徴とするデータ受信装置。
【請求項２】
前記データ受信装置は、更に、
前記第１のチューナにより受信された受信データ及び前記第２のチューナ受信データ記憶部に記憶されている記憶データのいずれかを入力し、入力したデータに対してデータ処理を行うデータ処理部を有し、
前記第１のチューナ制御部は、
前記第２のチューナ用チャンネルのうちのいずれかのチャンネルを新たな第１のチューナ用チャンネルとして指定し、指定した新たな第１のチューナ用チャンネルを前記第１のチューナに通知し、新たな第１のチューナ用チャンネルで配信されているデータの受信を前記第１のチューナに開始させるとともに、前記第２のチューナ受信データ記憶部に記憶されているデータのうち、新たな第１のチューナ用チャンネルとして指定したチャンネルに対応付けられて記憶されている記憶データを前記第２のチューナ受信データ記憶部から出力させて、前記データ処理部に入力させ、
前記データ処理部は、
前記第２のチューナ受信データ記憶部から出力された記憶データを入力するとともに、前記第１のチューナにより受信された新たな第１のチューナ用チャンネルの受信データを入力するまでは、入力した記憶データに対するデータ処理を行うことを特徴とする請求項１に記載のデータ受信装置。
【請求項３】
前記第２のチューナ制御部は、
前記第２のチューナ用チャンネルの各チャンネルに対する前記第２のチューナによるデータ受信時間が、前記第１のチューナ制御部により新たな第１のチューナ用チャンネルが指定されてから前記データ処理部が前記第１のチューナにより受信された新たな第１のチューナ用チャンネルの受信データを入力するまでの遅延時間以上の時間となるように、前記第２のチューナ用チャンネルの切替えタイミングを制御することを特徴とする請求項２に記載のデータ受信装置。
【請求項４】
前記データ受信装置は、更に、
前記３つ以上のチャンネルの各チャンネルに対して、前記第１のチューナによりデータが受信された第１のチューナ受信時間を計測する受信時間計測部を有し、
前記第２のチューナ制御部は、
前記受信時間計測部により計測されたチャンネルごとの第１のチューナ受信時間に応じて、前記第２のチューナ用チャンネルの切替えタイミングを制御することを特徴とする請求項１〜３のいずれかに記載のデータ受信装置。
【請求項５】
前記第２のチューナ制御部は、
前記第２のチューナ用チャンネルの切替えタイミングを全ての前記第２のチューナ用チャンネルにおいて等間隔とするとともに、前記受信時間計測部により計測された第１のチューナ受信時間の長いチャンネルほど、前記第２のチューナによるデータ受信頻度を多くすることを特徴とする請求項４に記載のデータ受信装置。
【請求項６】
前記第２のチューナは、
圧縮された圧縮データを受信し、
前記データ受信装置は、更に、
前記第２のチューナで受信された圧縮データに対する復号処理を行う第２のチューナ受信データ復号部を有し、
前記第２のチューナ受信データ記憶部は、
前記第２のチューナ受信データ復号部により復号処理された後のデータを、受信元のチャンネルと対応付けて記憶することを特徴とする請求項１〜５のいずれかに記載のデータ受信装置。
【請求項７】
前記第１のチューナ及び前記第２のチューナは、
圧縮された圧縮データを受信し、
前記データ受信装置は、更に、
前記第１のチューナで受信された圧縮データに対する復号処理を行う第１のチューナ受信データ復号部と
前記第２のチューナで受信された圧縮データに対する復号処理を行う第２のチューナ受信データ復号部とを有し、
前記第２のチューナ受信データ記憶部は、
前記第２のチューナ受信データ復号部により復号処理された後のデータを、受信元のチャンネルと対応付けて記憶し、
前記データ処理部は、
前記第１のチューナ受信データ復号部により復号処理された後のデータに対してデータ処理を行うとともに、前記第１のチューナ制御部により新たな第１のチューナ用チャンネルが指定された場合に、前記第２のチューナ受信データ記憶部から出力された記憶データを入力し、新たな第１のチューナ用チャンネルの圧縮データに対して前記第１のチューナ受信データ復号部により復号処理された後のデータを入力するまでは、入力した記憶データに対するデータ処理を行うことを特徴とする請求項２に記載のデータ受信装置。
【請求項８】
前記第２のチューナは、
圧縮された圧縮データを受信し、
前記第２のチューナ受信データ記憶部は、
前記第２のチューナにより受信された圧縮データを、受信元のチャンネルと対応付けて記憶することを特徴とする請求項１〜５のいずれかに記載のデータ受信装置。
【請求項９】
前記第１のチューナ及び前記第２のチューナは、
圧縮された圧縮データを受信し、
前記第２のチューナ受信データ記憶部は、
前記第２のチューナにより受信された圧縮データを、受信元のチャンネルと対応付けて記憶し、
前記データ処理部は、
前記第１のチューナにより受信された受信圧縮データに対して復号処理を行うとともに、前記第１のチューナ制御部により新たな第１のチューナ用チャンネルが指定された場合に、前記第２のチューナ受信データ記憶部から出力された記憶圧縮データを入力し、前記第１のチューナにより受信された新たな第１のチューナ用チャンネルの受信圧縮データを入力するまでは、入力した記憶圧縮データに対する復号処理を行うことを特徴とする請求項２に記載のデータ受信装置。
【請求項１０】
前記第２のチューナ制御部は、
前記第２のチューナ用チャンネルの一部として前記第１のチューナ用チャンネルを指定し、前記第１のチューナ用チャンネルで配信されているデータも前記第２のチューナに受信させることを特徴とする請求項１〜９のいずれかに記載のデータ受信装置。
【請求項１１】
前記第２のチューナは、
映像情報が含まれるデータを受信し、
前記データ受信装置は、更に、
前記第２のチューナ受信データ記憶部に記憶されているチャンネルごとの記憶データを用いて、前記第２のチューナ用チャンネルの各チャンネルで配信されているデータに含まれる映像情報をチャンネルごとにマルチ画面表示する映像情報表示情報を生成する映像表示情報生成部を有することを特徴とする請求項１〜１０のいずれかに記載のデータ受信装置。
【請求項１２】
前記第１のチューナ及び前記第２のチューナの少なくともいずれかが、複数のチューナで構成されていることを特徴とする請求項１〜１１のいずれかに記載のデータ受信装置。
【発明の詳細な説明】
【技術分野】
【０００１】
本発明は、複数チャンネルにおいて送信されるデータを受信するデータ受信装置等に関し、特に、放送衛星や地上局から送信されるデジタル放送電波又はケーブルを利用して送信されるケーブルテレビを利用して放送されるデジタル放送を受信するデジタル放送受信装置に関する。
【背景技術】
【０００２】
デジタル放送信号を受信して映像情報を表示するデジタル放送受信装置としては、例えば１つのチャンネルを１つのチューナ部で受信するチューナ部を複数設け、各チューナ部が夫々の番組を受信し、コントローラ部は各チューナ部からのデータをパラレルに処理し、個々のチューナ部が受信したデータをチャンネル毎のデータに分解して、夫々チューナ部に対応した記録部に記録し、記録部に記録されたデータはコントローラ部によって、記録しながらでも記録済みデータの任意の部分を引き出し、以前に遡って視聴することができるようにしたＴＶ番組視聴装置が知られている（特許文献１）。
【特許文献１】特開２００２−１６５１４６号公報
【発明の開示】
【発明が解決しようとする課題】
【０００３】
上記特許文献１に記載された技術にあっては、複数のチューナに対応する記録部にデータを記録しながらでも記録済みデータの任意部分を引き出し、以前に遡って視聴することができるものであるが、デジタル放送のチャンネル数に応じたチューナ部を設け、各チューナ部に対応させて受信したデジタル放送データの同期を確立させて信号処理する信号処理部を設ける場合には、チャンネル切替え時に待ち時間が生じることはないが、デジタル放送チャンネル数に応じたチューナ部と信号処理部が必要となり、製作コストが嵩むという課題がある。
【０００４】
この発明は、上記のような課題を解決することを主な目的の一つとしており、チャンネルを切替える際にデータ出力が途切れることがなく、利用者に違和感を与えないデータ受信装置等を実現することを主な目的とする。
【課題を解決するための手段】
【０００５】
本発明に係るデータ受信装置は、
データを受信する第１のチューナと第２のチューナと、
３つ以上のチャンネルの中から前記第１のチューナによるデータ受信の対象となるチャンネルを第１のチューナ用チャンネルとして指定し、前記第１のチューナ用チャンネルを前記第１のチューナに通知し、前記第１のチューナに前記第１のチューナ用チャンネルで配信されているデータの受信を開始させる第１のチューナ制御部と、
前記第１のチューナ用チャンネル以外の２つ以上のチャンネルを前記第２のチューナによるデータ受信の対象となる第２のチューナ用チャンネルとして指定し、いずれかの第２のチューナ用チャンネルを前記第２のチューナに通知し、通知した第２のチューナ用チャンネルで配信されているデータの受信を前記第２のチューナに開始させるとともに、所定の切替えタイミングごとに、前記第２のチューナ用チャンネルの切替えを前記第２のチューナに指示し、切替え後の第２のチューナ用チャンネルで配信されているデータの受信を前記第２のチューナに開始させる第２のチューナ制御部と、
前記第２のチューナにより受信されたデータを、受信元のチャンネルと対応付けて記憶する第２のチューナ受信データ記憶部とを有することを特徴とする。
【発明の効果】
【０００６】
本発明によれば、第１のチューナ用チャンネル以外のチャンネルを第２のチューナ用チャンネルとし、第１のチューナによるデータ受信に平行して、第２のチューナ用チャンネルの各々を切替えて受信し、チャンネルごとに受信データを記憶しているので、第１のチューナ用チャンネルが別のチャンネルに切り替わった際に、記憶データを出力することができ、チャンネル切替時にデータ出力が途切れることがなく、利用者に違和感を与えない。
【発明を実施するための最良の形態】
【０００７】
実施の形態１．
以下、本実施の形態に係るデジタル放送受信装置を図面に基づいて説明する。
図１は、本実施の形態に係るデジタル放送受信装置１００の構成例を示すブロック図である。
デジタル放送受信装置１００は、データ受信装置の例である。
【０００８】
本実施の形態では、簡易な構成でデジタル放送チャンネルを切替える際に映像信号の表示が途切れることがなく、視聴者に違和感を与えることを解消することができるデジタル放送受信装置１００について説明する。
本実施の形態に係るデジタル放送受信装置の動作を概説すると、主チューナ２によるデータ受信に平行して、主チューナ２で受信されているチャンネル以外のチャンネルを順次切替えて副チューナ３で受信し、放送データ記憶部１０が、チャンネルごとに副チューナ３における受信データを記憶し、主チューナ２で受信するチャンネルが別のチャンネルに切替わった際に、新たなチャンネルのデジタル放送データを主チューナ２が受信し、復号部６が新たなチャンネルの受信データに対して復号を行うまでの間、放送データ記憶部１０に記憶されている記憶データを利用して表示部１２に映像を表示する。
このため、チャンネル切替時にデータ出力が途切れることがなく、利用者に違和感を与えない。
以下、図１に示す各構成要素の詳細を説明する。
【０００９】
図中、１はデジタル放送局から送信されるデジタル放送電波を受信する受信アンテナであり、この受信アンテナ１で受信したデジタル放送電波が主チューナ２及び副チューナ３に供給される。
【００１０】
主チューナ２は、通常の放送チャンネルの選局に使用するチューナであり、デジタル放送のチャンネル番号と対応する周波数のデータとが設定されており、後述する制御回路１４から選択チャンネル番号が入力されると、この選択チャンネル番号に応じた周波数のデジタル放送データを抽出し、抽出したデジタル放送データに高周波処理及び復調処理を行ってトランスポートストリームとして分離部４に出力する。
主チューナ２は、第１のチューナの例である。
【００１１】
副チューナ３は、受信するデジタル放送データを所定時間間隔で順次切替える順次チャンネル選択機能を有するチューナであり、主チューナ２と同様にデジタル放送のチャンネル番号と対応する周波数のデータとが設定されており、後述する制御回路１４から選択チャンネル番号が入力される毎に、選択チャンネル番号に応じた周波数のデジタル放送データを抽出し、抽出したデジタル放送データに高周波処理及び復調処理を行ってトランスポートストリームとして分離部５に出力する。
副チューナ３は、第２のチューナの例である。
なお、詳細は後述するが、主チューナ２及び副チューナ３が受信するデジタル放送データには圧縮された圧縮映像データ及び圧縮音声データが含まれる。
【００１２】
分離部４及び５の夫々は、主チューナ２及び副チューナ３から出力されるトランスポートストリームに対してＴＳ同期処理を行って多重分離してＭＰＥＧデータである圧縮映像信号、音声信号及び選局情報及び番組情報等で構成される付加情報に分離し、分離したＭＰＥＧデータである圧縮映像信号及び音声信号を復号部６及び７に出力すると共に、選局情報及び番組情報等で構成される付加情報を後述する制御回路１４に出力する。
【００１３】
復号部６及び７は、分離部４及び５から出力されるＭＰＥＧデータである圧縮映像信号及び音声信号を個別に復号して映像信号及び音声信号に変換し、変換した映像信号及び音声信号を映像処理部８及び音声処理部９に出力する。
一方、復号部７から出力される映像信号は、フラッシュメモリ等で構成される放送データ記憶部１０に供給されて主チューナ２でチャンネル切替えを行う際に新たな放送チャンネルのデジタル放送データを同期確立して復号部６から復号データが出力されるまでに要する待ち時間以上に設定された各放送チャンネルの映像信号を各放送チャンネル番号に対応させて形成した記憶領域に順次上書き記憶する。
このため、放送データ記憶部１０には、所定時間毎に副チューナ３から出力されるデジタル放送データが分離部５で多重分離され、復号部７で復号された映像信号が上記待ち時間以上に設定された時間分繰り返し上書き記憶される。
また、放送データ記憶部１０は、チャンネルごとに、映像信号とともに音声信号を記憶してもよい。
なお、復号部６は、第１のチューナ受信データ復号部の例であり、復号部７は、第２のチューナ受信データ復号部の例である。
また、放送データ記憶部１０は、第２のチューナ受信データ記憶部の例である。
【００１４】
そして、映像処理部８では、制御回路１４から供給される選択信号ＳＣが例えば論理値“１”であるときに復号部６から入力される画像信号を選択し、選択信号ＳＣが論理値“０”であるときに、放送データ記憶部１０から読み出される選択チャンネル番号に対応した映像信号を選択し、選択した映像信号に輝度、コントラスト等の調整を行って映像データとして表示制御部１１に出力し、この表示制御部１１に接続された液晶ディスプレイ、プラズマディスプレイ、ＣＲＴディスプレイ等で構成される表示部１２に映像データを表示する。
また、音声処理部９では、復号部６又は放送データ記憶部１０から入力される音声信号を増幅してスピーカである音声出力部１３に出力する。つまり、映像処理部８が復号部６からの映像信号を選択する場合は、音声処理部９も復号部６からの音声信号を増幅して音声出力部１３に出力し、映像処理部８が放送データ記憶部１０から読み出される映像信号を選択する場合は、音声処理部９も放送データ記憶部１０から読み出される音声信号を増幅して音声出力部１３に出力する。
なお、映像処理部８と音声処理部９は、データ処理部の例である。
【００１５】
制御回路１４は、リモコン受信部１５で外部のリモコン２００から受信したチャンネル番号選択信号、音量調整信号等のリモコン信号に基づいて主チューナ２に対して選局する選択チャンネル番号を出力すると共に、副チューナ３に対して所定時間毎にチャンネル番号を例えば繰り上げて選択チャンネル番号を出力し、さらに映像処理部８に対してチャンネル切替え時に論理値“０”の選択信号ＳＣを出力し、それ以外の通常処理時には論理値“１”の選択信号ＳＣを出力する。
【００１６】
ここで、制御回路１４には、少なくとも例えば図２に示すデジタル放送受信処理を実行する中央処理装置１４１、この中央処理装置１４１で実行する処理のプログラムを格納するＲＯＭ（Ｒｅａｄ  Ｏｎｌｙ  Ｍｅｍｏｒｙ）１４２、中央処理装置１４１で実行する処理の演算過程のデータや演算結果データを記憶するＲＡＭ（Ｒａｎｄｏｍ  Ａｃｃｅｓｓ  Ｍｅｍｏｒｙ）１４３が含まれる。
例えば、制御回路１４は、中央処理装置１４１、ＲＯＭ１４２、ＲＡＭ１４３を有するマイクロコンピュータで構成されている。
【００１７】
図７は、制御回路１４の中央処理装置１４１で実行される機能を示す機能ブロック図である。図７に示す機能ブロックは、例えば、プログラムとしてＲＯＭ１４２に格納され、中央処理装置１４１が各プログラムを読み出して実行する。
【００１８】
図７において、入力部１４４は、リモコン受信部１５からリモコン信号を受信する。
出力部１４５は、主チューナ２、副チューナ３、放送データ記憶部１０、映像処理部８の各々に対して制御信号を出力する。
【００１９】
主チューナ制御部１４６は、主チューナ２及び副チューナ３が受信可能な３つ以上のチャンネルの中から主チューナ２によるデータ受信の対象となるチャンネルを主チューナ用チャンネル（第１のチューナ用チャンネル）として指定し、主チューナ用チャンネルを出力部１４５を通じて主チューナ２に通知し、主チューナ２に主チューナ用チャンネルで配信されているデジタル放送データの受信を開始させる。
主チューナ制御部１４６は、第１のチューナ制御部の例である。
【００２０】
副チューナ制御部１４７は、主チューナ用チャンネル以外の２つ以上のチャンネルを副チューナ３によるデータ受信の対象となる副チューナ用チャンネル（第２のチューナ用チャンネル）として指定し、いずれかの副チューナ用チャンネルを出力部１４５を通じて副チューナ３に通知し、通知した副チューナ用チャンネルで配信されているデジタル放送データの受信を副チューナ３に開始させるとともに、所定の切替えタイミングごとに、副チューナ用チャンネルの切替えを副チューナ３に指示し、切替え後の副チューナ用チャンネルで配信されているデジタル放送データの受信を副チューナ３に開始させる。
副チューナ制御部１４７は、第２のチューナ制御部の例である。
なお、副チューナ３により受信されたデータは、放送データ記憶部１０において、受信元のチャンネルと対応付けて記憶される。
【００２１】
また、利用者のリモコン操作によりチャンネルが切替えられた際に、主チューナ制御部１４６は、副チューナ用チャンネルのうち利用者により指定されたチャンネルを新たな主チューナ用チャンネルとして指定し、指定した新たな主チューナ用チャンネルを主チューナ２に通知し、新たな主チューナ用チャンネルで配信されているデジタル放送データの受信を主チューナ２に開始させるとともに、選択信号ＳＣ＝０を出力して、放送データ記憶部１０に記憶されているデータのうち、新たな主チューナ用チャンネルとして指定したチャンネルに対応付けられて記憶されている記憶データを放送データ記憶部１０から出力させて、映像処理部８（及び音声処理部９）に入力させる。
そして、映像処理部８（及び音声処理部９）は、放送データ記憶部１０から出力された記憶データを入力するとともに、主チューナ２により受信された新たな主チューナ用チャンネルの受信データを復号部６から入力するまでは、入力した記憶データに対する映像処理（及び音声処理）を行う。
また、副チューナ制御部１４７は、副チューナ用チャンネルの各チャンネルに対する副チューナ３によるデータ受信時間が、主チューナ制御部１４６により新たな主チューナ用チャンネルが指定されてから映像処理部８（及び音声処理部９）が主チューナ２により受信された新たな主チューナ用チャンネルの受信データを復号部６から入力するまでの遅延時間以上の時間となるように、副チューナ用チャンネルの切替えタイミングを制御する。
また、タイマ１４８は、副チューナ制御部１４７による切替えタイミングの計時のために用いられる。
【００２２】
中央処理装置１４１で実行するデジタル放送受信処理は、図２に示すように、デジタル放送受信装置１００の電源が投入されたときに実行開始され、先ず、ステップＳ１で、主チューナ制御部１４６が、映像処理部８に対して論理値“１”の選択信号ＳＣを出力し、次いでステップＳ２に移行して、リモコン受信部１５でリモコン２００からのチャンネル番号選択信号を受信したか否かを判定し、チャンネル番号選択信号を受信していないときにはこれを受信するまで待機し（Ｓ２でＮＯ）、チャンネル番号選択信号を受信したとき（Ｓ２でＹＥＳ）にはステップＳ３に移行する。
【００２３】
このステップＳ３では、主チューナ制御部１４６が、チャンネル番号選択信号で指定されたチャンネル番号を主チューナ２に出力し、次いでステップＳ４に移行して、分離部４から多重分離された選局情報及び番組情報等で構成される付加情報が入力されたか否かを判定し、付加情報が入力されていないとき（Ｓ３でＮＯ）にはこれが入力されるまで待機し、付加情報が入力されたとき（Ｓ３でＹＥＳ）にはステップＳ５に移行する。
【００２４】
このステップＳ５では、副チューナ制御部１４７が、付加情報に含まれる選局情報に基づいて受信可能なデジタル放送チャンネルを決定し、決定されたデジタル放送チャンネルから現在主チューナ２で選択されているデジタル放送チャンネルを除く他のデジタル放送チャンネルについて例えばチャンネル番号の若い順にソートし、次いでステップＳ６に移行して、例えば一番若いチャンネル番号を選択チャンネル番号（第２のチューナ用チャンネル）として副チューナ３に出力してからステップＳ７に移行する。
【００２５】
このステップＳ７では、副チューナ制御部１４７が、復号部７から映像信号が出力されたか否かを判定し、映像信号が出力されていないとき（Ｓ７でＮＯ）にはステップＳ８に移行して、主チューナ制御部１４６が、リモコン２００からチャンネル番号選択信号が入力されたか否かを判定し、チャンネル番号選択信号が入力されていないときには前記ステップＳ７に戻る。
また、ステップＳ７の判定結果が、復号部７から映像信号が出力されたとき（Ｓ７でＹＥＳ）には、ステップＳ９に移行して、副チューナ制御部１４７は、放送データ記憶部１０に形成した該当チャンネル番号の放送データ記憶領域への映像信号の上書き保存を開始させ、次いでステップＳ１０に移行して、映像信号の記憶を開始してから所定時間即ち主チューナ２で制御回路１４から選択チャンネル番号が出力されてから復号部６から映像信号が出力されるまでの待ち時間（遅延時間）以上好ましくは待ち時間に僅かな余裕時間を加えた設定時間が経過したか否かを判定し、設定時間が経過していないとき（Ｓ１０でＮＯ）には前記ステップＳ９に戻り、設定時間が経過したとき（Ｓ１０でＹＥＳ）にはステップＳ１１に移行する。
【００２６】
ステップＳ１１では、主チューナ制御部１４６が、前述したステップＳ２及びＳ８と同様にリモコン受信部１５でリモコン２００からのチャンネル番号選択信号を受信したか否かを判定し、チャンネル番号選択信号を受信していないとき（Ｓ１１でＮＯ）にはステップＳ１２に移行して、現在のチャンネル番号の次に若いチャンネル番号が存在するか否かを判定し、次に若いチャンネル番号が存在する場合にはステップＳ１３に移行して該当チャンネル番号を選択チャンネル番号として副チューナ３に出力してから前記ステップＳ７に戻り、次に若いチャンネル番号が存在しない場合には、前記ステップＳ６に戻る。
【００２７】
一方、前記ステップＳ８及びＳ１１の判定結果が、リモコン２００からのチャンネル番号選択信号を受信したものであるときにはステップＳ１４に移行して、主チューナ制御部１４６が、主チューナ２に対して選択チャンネル番号を出力し、次いでステップＳ１５に移行して、映像処理部８に対して論理値“０”の選択信号ＳＣを出力し、次いでステップＳ１６に移行して、放送データ記憶部に記憶されている該当チャンネル番号の映像信号を読出して、バッファ回路を介して映像処理部８に供給する。
【００２８】
次いで、ステップＳ１７に移行して、主チューナ制御部１４６は、復号部６から主チューナ２で受信した新たなチャンネル番号の映像信号が出力されたか否かを判定し、新たな映像信号が出力されていないとき（Ｓ１７でＮＯ）には前記ステップＳ１６に戻り、新たな映像信号が出力されたとき（Ｓ１７でＹＥＳ）にはステップＳ１８に移行して、映像処理部８に対して論理値“１”の選択信号ＳＣを出力してから前記ステップＳ１２に移行する。
【００２９】
次に、本実施形態の形態に係るデジタル放送受信装置１００の動作を説明する。
今、デジタル放送受信装置１００の電源が投入されていないものとすると、制御回路１４を含む全ての回路に電源が供給されておらず、デジタル放送を受信できない状態となっている。
この状態で、デジタル放送受信装置１００の電源が投入されると、制御回路１４を含む全ての回路に電源が供給されて作動状態となり、制御回路１４のマイクロコンピュータにおける中央処理装置１４１で図２に示すデジタル放送受信処理が実行開始される。
【００３０】
このデジタル放送受信処理では、先ず、映像処理部８に対して論理値“１”の選択信号ＳＣが出力され（ステップＳ１）、これによって映像処理部８で復号部６から出力されるアナログ映像信号を選択して映像処理するように設定される。
次いで、リモコン２００からチャンネル番号を指定するチャンネル番号選択信号が入力されたか否かを判定し、チャンネル番号選択信号が入力されていないときにはこれが入力されるまで待機し、ユーザーがリモコン２００を操作してチャンネル番号を指定することによりチャンネル番号選択信号がリモコン受信部１５で受信したときには受信したチャンネル番号選択信号で指定されたチャンネル番号を主チューナ２に出力する（ステップＳ３）。
【００３１】
このため、主チューナ２で、指定されたチャンネル番号のデジタル放送データを抽出し、これを周波数処理及び復調処理してトランスポートストリームを分離部４に出力する。
この分離部４では、入力されるトランスポートストリームに対してＴＳ同期処理を行ってから多重分離してＭＰＥＧデータである圧縮映像信号、圧縮音声信号及び選局情報及び番組情報等で構成される付加情報を分離し、付加情報を制御回路１４の中央処理装置１４１に出力し、圧縮映像信号及び圧縮音声信号を夫々復号部６に出力する。
【００３２】
この復号部６では入力される圧縮映像信号及び圧縮音声信号を復号して通常の映像信号及び音声信号に変換し、変換した映像信号及び音声信号を夫々映像処理部８及び音声処理部９に出力する。
このため、映像処理部８では、選択信号ＳＣが論理値“１”であることから復号部６から出力される映像信号が選択されて、この映像信号に輝度、コントラスト等の調整を行って映像データとして表示制御部１１を介して表示部１２に出力し、この表示部１２で該当チャンネルの映像情報が表示される。
【００３３】
一方、分離部４から付加情報が出力されると、これに含まれる選局情報に基づいて受信可能なデジタル放送チャンネルを決定し、決定したデジタル放送チャンネル番号をソートしてチャンネル番号の若い順に並べ替え（ステップＳ５）、このうち一番若いデジタル放送チャンネルのチャンネルを選択チャンネル番号として副チューナ３に出力する。
【００３４】
このため、副チューナ３でも選択チャンネル番号に応じたデジタル放送チャンネルの受信を開始し、受信したデジタル放送データを周波数処理及び復調処理することにより、トランスポートストリームとして分離部５に出力する。
このため、分離部５では、トランスポートストリームに対してＴＳ同期処理を行ってから多重分離を行ってＭＰＥＧデータである圧縮映像信号、圧縮音声信号及び付加情報に分離し、映像信号を復号部７に出力して、復号することにより通常の映像信号に変換し、この映像信号を放送データ記憶部１０のチャンネル番号に対応する記憶領域に記憶する。
【００３５】
この映像信号の放送データ記憶部１０への記憶が設定時間継続され、主チューナ２にチャンネル番号を出力してから復号部６から映像信号が出力される状態となるまでの待ち時間以上に設定された設定時間が継続すると、放送データ記憶部１０への映像信号の記録を停止する。
そして、この状態で、リモコン２００からチャンネル番号選択信号が入力されていないものとすると、ステップＳ１１からステップＳ１２に移行して、次に若いチャンネル番号が存在するか否かを判定し、次に若いチャンネル番号が存在する場合にはステップＳ１３に移行して、該当チャンネル番号を選択チャンネル番号として副チューナ３に出力して、チャンネル切替えを行う。
【００３６】
そして、新たなチャンネル番号について上記と同様の処理を実行して復号部７から出力される通常の映像信号を放送データ記憶部１０のチャンネル番号に対応した記憶領域に上書き記憶する。
このようにして、順次受信可能なデジタル放送局のチャンネル番号を繰り上げながら設定時間分映像信号を放送データ記憶部１０に記憶して行き、一番上のチャンネル番号における映像信号の記憶が完了すると、ステップＳ１２に移行したときに、次に若いチャンネル番号が存在しないので、ステップＳ６に移行して、一番若いチャンネル番号が選択チャンネル番号として副チューナ３に出力されて、このとき復号部７から出力される映像信号が放送データ記憶部１０のチャンネル番号に対応する記憶領域に上書き記憶される。
【００３７】
このため、放送データ記憶部１０には、リモコン２００からチャンネル切替えを行うチャンネル番号選択信号が入力されるまでの間、主チューナ２で受信しているデジタル放送データを除く残りの全てのデジタル放送チャンネルにおける映像信号が常に最新の状態に更新しながら記憶される。
この状態で、ユーザーが現在視聴しているデジタル放送チャンネルとは異なるデジタル放送チャンネルを視聴するためにリモコン２００を操作して所望のデジタル放送チャンネルを入力すると、これに応じたチャンネル番号選択信号が例えば赤外線通信で送信されてリモコン受信部１５で受信される。
【００３８】
このようにリモコン受信部１５でチャンネル番号選択信号を受信すると、図２の処理におけるステップＳ８又はＳ１１からステップＳ１４に移行し、チャンネル番号選択信号で指定されたチャンネル番号が主チューナ２に出力されて、主チューナ２で新たなチャンネル番号のデジタル放送データの受信処理が開始される。
次いで、映像処理部８に論理値“０”の選択信号ＳＣが出力されることにより、この映像処理部８が放送データ記憶部１０から読出される映像信号を選択し、次いでステップＳ１６に移行して、放送データ記憶部１０に記憶されている新たに選択されたチャンネル番号に対応する映像信号が順次読出されて映像処理部８に入力される。
【００３９】
このため、映像処理部８で、最大で設定時間×（受信可能なデジタル放送チャンネル数−１）前の該当するチャンネル番号の映像信号について輝度、コントラスト等の調整を行って映像データとして表示制御部１１を介して表示部１２に出力する。
このため、表示部１２では、リモコン２００からチャンネル番号選択信号が出力されたと略同時に今までのチャンネル番号の映像情報に代えて、放送データ記憶部１０に記憶されている映像情報に瞬時に切替わり、表示部１２での映像が途切れることなく映像表示が継続される。しかも、表示される映像がユーザーが所望とするチャンネル番号の直前の映像情報であるので、ユーザーが違和感なく視認することができる。
【００４０】
その後、主チューナ２から出力されるトランスポートストリームを分離部４でＴＳ同期処理を行った後多重分離してＭＰＥＧデータである圧縮映像信号、圧縮音声信号及び付加情報に分離し、分離した圧縮映像信号及び圧縮音声信号を復号部６に供給して復号することにより、通常の映像信号及び音声信号に変換し、この映像信号が復号部６から出力されると、図２のステップＳ１７からステップＳ１８に移行して、論理値“１”の選択信号ＳＣが映像処理部８に出力されることにより、復号部６から出力される映像信号に輝度及びコントラスト等の調整を行ったアナログ映像データが表示制御部１１を介して表示部１２に供給されることになり、それまでの放送データ記憶部１０から読出した画像信号に基づく映像情報から新たなチャンネル番号に対応した正規の画像情報に画像情報が途切れることなく切替わり、この状態でもユーザーに違和感を与えることなく映像情報の切替えが行われる。
【００４１】
本実施の形態では、
選局視聴するデジタル放送のチャンネルを選択するチャンネル選択部を有し、
該チャンネル選択部で選択されたチャンネルのデジタル放送を受信する主チューナと、
デジタル放送を受信して異なるチャンネルのデジタル放送を少なくとも前記デジタル放送のチャンネル切替え時における画像再生開始時間以上の時間間隔で順次選局受信する副チューナと、
該副チューナで受信した異なるチャンネルのデジタル放送受信データから分離した映像信号をチャンネル番号と対応付けして記憶する放送データ記憶部と、
通常は前記主チューナで受信したデジタル放送受信データを映像処理して映像情報を表示し、前記チャンネル選択部で選局視聴するチャンネルを切替える際に選択したチャンネルの同期処理が完了するまでの間前記放送データ記憶部に記憶されている該当チャンネルの映像信号を像処理して映像情報を表示する映像処理部
とを備えているデジタル放送受信装置について説明した。
【００４２】
また、本実施の形態では、前記副チューナは、前記主チューナで受信している放送チャンネルを除く他の放送チャンネルのデジタル放送受信データを切替え受信するように構成されているデジタル放送受信装置について説明した。
【００４３】
また、本実施の形態では、前記放送データ記憶部は、前記副チューナで受信した放送受信データを復号部で復号した映像信号を記憶するように構成されているデジタル放送受信装置について説明した。
【００４４】
また、本実施の形態では、前記放送データ記憶部は、各放送チャンネルの映像信号を、前記チャンネル選択部によって選局視聴チャンネルを切替えた時点から前記主チューナから出力される放送受信データの同期確立に要する時間以上記憶するように構成されているデジタル放送受信装置について説明した。
【００４５】
実施の形態２．
次に、実施の形態２に係るデジタル放送受信装置１００を図３及び図４を用いて説明する。
この第２の実施形態では、放送データ記憶部１０に記憶する放送データとして復号部７から出力されるアナログ映像信号に代えて分離部５から出力されるＭＰＥＧデータである圧縮映像信号を記憶するようにしたものである。
すなわち、第２の実施の形態では、図３に示すように、前述した第１の実施形態における図１の構成において、復号部７が省略されて、分離部５から出力されるＭＰＥＧデータである圧縮映像信号（圧縮データ）が放送データ記憶部１０のチャンネル番号に対応する記憶領域に上書き記憶するように構成されている。
さらに、復号部６に分離部４から出力される圧縮映像信号及び放送データ記憶部１０に記憶されている圧縮映像信号が入力されていると共に、制御回路１４におけるマイクロコンピュータの中央処理装置１４１から出力される選択信号ＳＣが復号部６に入力され、この復号部６で選択信号ＳＣが論理値“１”であるときに分離部４から出力される圧縮映像信号（受信圧縮データ）を選択し、論理値“０”であるときに放送データ記憶部１０から読出された圧縮映像信号（記憶圧縮データ）を選択し、選択した圧縮映像信号を復号して通常の映像信号に変換するように構成されている。
上記の点を除いては上述した実施の形態と同様の構成を有し、図１との対応部分には同一符号を付し、その詳細説明はこれを省略する。
なお、本実施の形態では、復号部６はデータ処理部の例である。
【００４６】
また、これに応じて、本実施の形態では、制御回路１４のマイクロコンピュータにおける中央処理装置１４１で実行するデジタル放送受信処理が図４に示すように、実施の形態１における図２の処理におけるステップＳ１、Ｓ１５、Ｓ１８及びＳ２４の処理が選択信号ＳＣを復号部６に出力する処理に変更され、ステップＳ７及びＳ１７の処理が分離部４から圧縮映像信号が出力されたか否かを判定するステップＳ２１及びＳ２２に変更されている。
また、ステップＳ９の処理が分離部５から出力される圧縮映像信号を放送データ記憶部１０の該当チャンネル番号に対応する記憶領域に記憶するステップＳ２３に変更され、さらにステップＳ１６の処理が放送データ記憶部１０に記憶されている該当チャンネル番号の圧縮映像信号を復号部６に出力するステップＳ２４に変更されている。
【００４７】
実施の形態２によると、主チューナ２で受信して処理されたトランスポートストリームを分離部４でＴＳ同期処理及び多重分離処理を行うことにより、ＭＰＥＧデータである圧縮映像信号、圧縮音声信号及び付加情報に分離し、圧縮映像信号及び圧縮音声信号を復号部６に供給して復号することにより通常の映像信号及び音声信号に変換し、これらを映像処理部８及び音声処理部９に供給して、表示部１２で映像情報を表示すると共に、スピーカ等の音声出力部１３で音声情報を出力している選局視聴状態とすることができる。
【００４８】
この選局視聴状態で、副チューナ３に所定間隔でデジタル放送チャンネルを順次繰り上げる選択チャンネル番号を出力することにより、順次選択されたデジタル放送チャンネルのトランスポートストリームを分離部５に出力して、ＭＰＥＧデータである圧縮映像信号、圧縮音声信号及び付加情報に分離し、分離した圧縮映像信号を放送データ記憶部１０のチャンネル番号に対応した記憶領域に記憶することを各デジタル放送チャンネル毎に繰り返すことにより、設定時間分の最新の圧縮映像信号を放送データ記憶部１０に記憶することができる。
【００４９】
このため、ユーザーがリモコン２００を操作して新たなチャンネル番号を選択したときに、そのチャンネル番号選択信号を赤外線通信によってリモコン受信部１５に送信して、このリモコン受信部１５で受信すると、第１の実施形態と同様に主チューナ２に対してチャンネル番号選択信号に対応したチャンネル番号が出力されて、この主チューナ２が新たなチャンネル番号のデジタル放送データを受信するように切替えられる。
【００５０】
このとき、論理値“０”の選択信号ＳＣが復号部６に出力されることにより、この復号部６で放送データ記憶部１０から読出された圧縮映像信号を選択し、この圧縮映像信号を復号して通常の映像信号に変換し、これを映像処理部８に出力することにより、表示部１２で、第１の実施形態と同様に放送データ記憶部１０に記憶された圧縮映像信号に基づく新たなチャンネル番号での直前の映像情報を表示することができる。
【００５１】
このとき、放送データ記憶部１０に記憶されている圧縮映像信号を復号部６で通常の映像信号に変換する際に、処理時間が必要となるが、この場合の処理時間は、分離部４及び５のＴＳ同期処理に比較すると格段に少ない時間となり、表示部１２での表示切替えでユーザーに違和感を与えることを防止することができる。
しかも、第２の実施形態では、分離部５から出力されるＭＰＥＧデータである圧縮映像信号を放送データ記憶部１０でチャンネル番号に対応させて記憶するようにしているので、映像信号が圧縮状態を維持しているので、圧縮映像信号の容量が第１の実施形態における映像信号に比較して格段に少なくなり、放送データ記憶部１０の記憶容量を大幅に削減することができ、安価な記憶媒体を適用することができる。
【００５２】
本実施の形態では、放送データ記憶部は、副チューナから出力されるトランスポートストリームをＭＰＥＧデータである圧縮映像信号、音声信号及び付加情報に分離する分離部から出力される圧縮映像信号を記憶するように構成されているデジタル放送受信装置について説明した。
【００５３】
実施の形態３．
上記の実施の形態２においては、復号部６及び映像処理部８で映像処理部を構成している。
次に、実施の形態３に係るデジタル放送受信装置１００を図５を用いて説明する。
この第３の実施形態では、ユーザーのデジタル放送チャンネルの使用頻度を計測して、使用頻度が高い放送チャンネルについては記憶回数を増加させるようにしたものである。
【００５４】
本実施の形態では、制御回路１４の中央処理装置１４１で、デジタル放送の各チャンネルの使用頻度を計測するチャンネル使用頻度計測処理を実行する。
図８は、本実施の形態に係る制御回路１４の中央処理装置１４１で実行される機能を示す機能ブロック図である。
図８において、入力部１４４、出力部１４５、主チューナ制御部１４６、副チューナ制御部１４７及びタイマ１４８は図７に示したものと同様である。
チャンネル使用頻度計測部１４９は、デジタル放送受信装置１００で受信可能な複数のチャンネルの各チャンネルに対して、主チューナ２によりデータが受信された時間（第１のチューナ受信時間）を計測する。チャンネル使用頻度計測部１４９は、受信時間計測部の例である。
そして、本実施の形態では、副チューナ制御部１４７は、チャンネル使用頻度計測部１４９により計測されたチャンネルごとの受信時間に応じて、副チューナ用チャンネルの切替えタイミングを制御する。より具体的には、副チューナ制御部１４７は、副チューナ用チャンネルの切替えタイミングを全ての副チューナ用チャンネルにおいて等間隔とするとともに、チャンネル使用頻度計測部１４９により計測された受信時間の長いチャンネルほど、副チューナ３によるデータ受信頻度を多くする。
【００５５】
次に、図５を参照して、本実施の形態に係る制御回路１４の中央処理装置１４１で行われるチャンネル使用頻度計測処理を説明する。
このチャンネル使用頻度計測処理は、図５に示すように、所定時間（例えば１０ｍｓｅｃ）毎のタイマ割込処理として実行される。
【００５６】
図５において、先ず、ステップＳ３１で、主チューナ制御部１４６が、リモコン２００でチャンネル切替えが行われたか否かを判定し、チャンネル切替えが行われたとき（Ｓ３１でＹＥＳ）にはステップＳ３２に移行する。
【００５７】
このステップＳ３２では、チャンネル使用頻度計測部１４９が、チャンネル切替えが行われてから所定時間（例えば３分程度）を計時するタイマ値Ｔを所定値ｎにセットし、次いでステップＳ３３に移行して現在の所定値ｎから“１”をデクリメントした値を新たな所定値ｎとしてからステップＳ３４に移行し、Ｔ＝０であるか否かを判定し、Ｔ＝０であるとき（Ｓ３４でＹＥＳ）にはチャンネル切替えから所定時間が経過したものと判断してステップＳ３６に移行し、Ｔ＞０であるとき（Ｓ３４でＮＯ）にはチャンネル切替えから所定時間が経過していないものと判断してタイマ割込処理を終了して所定のメインプログラムに復帰する。
【００５８】
一方、ステップＳ３１の判定結果が、チャンネル切替えではないとき（Ｓ３１でＮＯ）にはステップＳ３５に移行して、Ｔ＞０であるか否かを判定し、Ｔ＞０であるとき（Ｓ３５でＹＥＳ）には前記ステップＳ３３に移行し、Ｔ＝０であるとき（Ｓ３５でＮＯ）にはそのままタイマ割込処理を終了して所定のメインプログラムに復帰する。
また、ステップＳ３６では、該当チャンネルのカウント値Ｎｉ（ｉはチャンネル数が例えばａ〜ｆの６つであるものとしたときの何れか１つ）を“１”だけインクリメントしてからステップＳ３７に移行する。
【００５９】
ステップＳ３２〜Ｓ３６は、いわゆるザッピング中の受信時間を計測せずに、ユーザーが放送を視聴している間の受信時間のみを計測するための処理である。
ステップＳ３２で設定される時間Ｔは、ユーザーが同じチャンネルの放送を継続して視聴していると判断するための時間であり、前述したように例えば３分である。そして、この時間Ｔが０になった場合は、ユーザーが継続して（３分間）同じチャンネルの放送を視聴していると判断でき、当該チャンネルのカウントを一つ増やす（Ｓ３６）。
つまり、一つ前の周期において主チューナ２でデータが受信されていたチャンネルと現在の周期において主チューナ２でデータが受信されているチャンネルとが同じでなければ（Ｓ３１でＹＥＳ）、現在データが受信されているチャンネルに対して、時間Ｔ＝ｎを設定するとともに（Ｓ３２）、ｎの値をデクリメントし（Ｓ３３）、Ｔが０になっていないので（Ｓ３４でＮＯ）、メインプログラムに戻る。
次の周期において、一つ前の周期において主チューナ２でデータが受信されていたチャンネルと現在の周期において主チューナ２でデータが受信されているチャンネルとが同じであれば（Ｓ３１でＮＯ）、Ｔ＞０のときは（Ｓ３５でＹＥＳ）、現在データが受信されているチャンネルに対してｎの値をデクリメントし（Ｓ３３）、Ｔが０になれば（Ｓ３４でＹＥＳ）、当該チャンネルが継続して視聴されていたことになるので、当該チャンネルに対してカウント値を一つ増やす（Ｓ３６）。
【００６０】
次に、ステップＳ３７では、副チューナ制御部１４７が、現在の視聴チャンネル（主チューナ２でデータ受信されているチャンネル）、例えばチャンネルａを除く５チャンネルのカウント数Ｎｂ〜Ｎｆを読込み、各カウント数Ｎｂ〜Ｎｆの比を算出する。
次いで、副チューナ制御部１４７は、ステップＳ３８に移行して、算出した比に基づいて各チャンネルの選局順位を設定する。
このとき、選局対象チャンネル数が５である場合に、カウント数Ｎｂ〜Ｎｆの全てが等しい値であるとき即ち比が全て“１”であるときには、各チャンネルｂ〜ｆがその順番に順次記録される。
ところが、例えばチャンネルｂの比が“４”、チャンネルｃの比が“３”、チャンネルｄの比が“２”、チャンネルｅ及びｆの比が夫々“１”であるときには、全選局回数が１１回であるので、記録順位は図６に示すようにチャンネルｂ、チャンネルｃ、チャンネルｄ、チャンネルｂ、チャンネルｃ、チャンネルｅ、チャンネルｂ、チャンネルｃ、チャンネルｄ、チャンネルｂ、チャンネルｆのように比に応じた回数でできるだけ均等な間隔となるように選局順位を振り分ける。
【００６１】
次いで、副チューナ制御部１４７は、ステップＳ３９に移行して、設定されたチャンネル毎の選局順位に応じて副チューナ３のチャンネル切替制御を行う。
【００６２】
このように、本実施の形態によると、ユーザーがデジタル放送受信装置を設置した時点からデジタル放送チャンネルを選択した時点で、その後の所定時間の間にチャンネル切替えが行われないとき即ちユーザーが番組を探すためのチャンネル切替えが終わったときに、該当チャンネルのカウント値Ｎｉが“１”だけインクリメントされることから、ユーザーがよく視聴するチャンネルではカウント値Ｎｉが大きくなり、たまに視聴するチャンネルではカウント値Ｎｉが小さくなる。
【００６３】
このため、前述したように、今、主チューナ２でチャンネルａを視聴しているときに、残りのチャンネルｂ〜ｆにおけるカウント値Ｎｂ、Ｎｃ、Ｎｄ、Ｎｅ及びＮｆの比が４：３：２：１：１であるときには、副チューナ３で図６に示すようにチャンネルｂが第１回目、第４回目、第７回目、第１０回目に選局され、チャンネルｃが第２回目、第５回目、第８回目に選局され、チャンネルｄが第３回目及び第９回目に選局され、チャンネルｅが第６回目に選局され、チャンネルｆが第１１回目に選局される。
そして、副チューナ３で受信されたデジタル放送データが分離部５でＴＳ信号から圧縮映像信号が分離されて、復号部７に供給され、この復号部７で圧縮映像信号が復号された通常の映像信号が放送データ記憶部１０に記憶される。
【００６４】
このため、放送データ記憶部１０では、副チューナ３の選局順位に応じて各チャンネルの映像信号が記録される。
したがって、ユーザーがチャンネルａを視聴しているときに、他のチャンネルに切替える頻度は、チャンネルｂが一番高いので、このチャンネルｂでは、３回に１回映像信号が記録されていることから、チャンネル切替え時に放送データ記憶部１０に記憶されている映像信号の内最新の映像信号は古くても３回前の映像信号となり、チャンネル切替えを行った場合に表示部１２に表示される映像信号を最新に近い映像信号とすることができ、切替え頻度が低いチャンネルほど古い映像信号が表示される可能性が高くなる。
このため、視聴機会が多いチャンネルへのチャンネル切替時に古い映像信号が頻繁に表示されて映像情報にずれが生じることを抑制してユーザーに違和感を与えることを防止することができる。
【００６５】
なお、上記第３の実施形態においては、説明を簡単にするため比率が整数である場合について説明したが、これに限定されるものではなく、比率が整数とならない場合には、整数比となる近似値を使用するようにしてもよい。
また、上記第３の実施形態においては、比率を算出して、これに基づいて選局順位を設定する場合について説明したが、これに限定されるものではなく、最も多く選ばれるチャンネルに最大値を与える優先順位付けを行うようにしてもよい。
例えば、視聴可能なデジタル放送チャンネルが５チャンネルあれば５：４：３：２：１のように優先順位を設定する、
さらに、上記第３の実施形態においては、復号部７で復号した映像信号を放送データ記憶部１０に記憶した場合について説明したが、これに限定されるものではなく、前述した第２の実施形態のように分離部５から出力される圧縮映像信号を放送データ記憶部１０に記憶するようにしてもよい。
【００６６】
また、第３の実施形態においては、放送データ記憶部１０に記憶されている映像信号のうち最新の映像信号を映像処理する場合について説明したが、これに限定されるものではなく、使用頻度の多いチャンネルについては複数回記録された映像情報を連続して再生するようにしてもよく、予め全てチャンネルについて複数回映像情報を並列に記録し、これらを連続して再生するようにしてもよい。
【００６７】
また、上記第１〜第３の実施形態においては、放送データ記憶部１０に記憶されている各デジタル放送チャンネルのデジタル放送データを主チューナ２でのチャンネル切替え時にのみ使用する場合について説明したが、これに限定されるものではなく、記憶されている映像信号又は圧縮映像信号に基づいてマルチ画面を構成し、このマルチ画面をリモコン２００でのチャンネル番号選択時に表示部１２に表示して選局に使用することもできる。
つまり、表示制御部１１（映像表示情報生成部）は、放送データ記憶部１０に記憶されているチャンネルごとの記憶データを用いて、副チューナ用チャンネルの各チャンネルで配信されているデータに含まれる映像情報をチャンネルごとにマルチ画面表示する情報（映像情報表示情報）を生成し、表示部１２はこのマルチ画面情報を表示する。
【００６８】
さらに、上記第１〜第２の実施形態においては、分離部４から出力される付加情報に基づいて受信可能なデジタル放送チャンネルを選択する場合について説明したが、これに限定されるものではなく、予めデジタル放送受信装置を設置する区域に対応した受信可能なデジタル放送チャンネルを記憶テーブルに記憶させておき、設置区域に応じて記憶テーブルから受信可能なデジタル放送チャンネルを読み出して設定するようにしてもよい。
【００６９】
さらにまた、上記第１〜第３の実施形態においては、受信可能なデジタル放送チャンネルを番号が小さいものから順にソートする場合について説明したが、これに限定されるものではなく、チャンネル番号が大きいものから順にソートするようにしてもよく、チャンネル番号をランダムに配置するようにしてもよい。
【００７０】
さらにまた、上記第１〜第３の実施形態においては、主チューナ２で受信しているチャンネル番号については副チューナ３で受信をスキップする場合について説明したが、これに限定されるものではなく、受信可能な全てデジタル放送チャンネルについて映像信号を記憶するようにしてもよい。
【００７１】
また、上記第１〜第３の実施形態においては、副チューナ３で受信した映像情報（動画）を放送データ記憶部１０に記憶し、チャンネル切替え時に、放送データ記憶部１０に記憶されている映像情報（動画）を表示部１２に表示することとしたが、映像情報（動画）の代わりに副チューナ３で受信したデータの静止画像を放送データ記憶部１０に記憶し、チャンネル切替え時に、放送データ記憶部１０に記憶されている静止画像を表示部１２に表示するようにしてもよい。
【００７２】
なおさらに、上記第１〜第３の実施形態においては、主チューナ２及び副チューナ３について夫々チューナ数が１個である場合について説明したが、これに限定されるものではなく、主チューナ２を複数のチューナで構成して、各チューナで異なるデジタル放送を受信するようにして受信切替処理を高速化させたり、副チューナ３を複数のチューナで構成して、受信切替処理を高速化させたりすることもでき、さらには、チューナ、分離部及び復号部を複数組設けて、ＴＳ同期処理による待ち時間を短縮することもできる。
【００７３】
また、上記第１及び第２の実施形態ではチャンネル選択部としてリモコン２００を適用した場合について説明したが、これに限定されるものではなく、テンキーやキーボード等をチャンネル選択部として適用するようにしてもよい。
さらに、上記第１〜第３の実施形態においては、デジタル放送のチャンネルを切替える場合について説明したが、放送データ記憶部１０に分離部５から出力されるデータ放送のデータ（文字放送のデータ等）を蓄積しておき、ユーザーが映像放送データの視聴状態からデータ放送の視聴状態に切替えたときに、放送データ記憶部１０に記憶さているデータ放送のデータを映像処理部８に供給することにより素早く画面変更が可能となる。また、データ放送内で次の画面への移行も待ち時間なく移行することが可能となる。
【００７４】
以上、本実施の形態では、チャンネルごとに主チューナにおける受信頻度を計測し、計測した受信頻度に応じて、副チューナにおける受信頻度を制御するデジタル放送受信装置について説明した。
【００７５】
また、本実施の形態では、主チューナ及び副チューナの何れか一方が複数のチューナで構成されているデジタル放送受信装置について説明した。
【００７６】
また、本実施の形態では、放送データ記憶部は、副チューナで受信した放送受信データから独立した静止画像データを抽出して記憶するように構成されているデジタル放送受信装置について説明した。
【００７７】
最後に、実施の形態１〜３に示したデジタル放送受信装置１００のハードウェア構成例について説明する。
なお以下で説明する構成は、実施の形態１〜３に示すデジタル放送受信装置１００のハードウェア資源の一例を示すものであり、デジタル放送受信装置１００のハードウェア構成は他の構成であってもよい。
【００７８】
デジタル放送受信装置１００は、図１及び図３に示すように、プログラムを実行する中央処理装置１４１を備えている。
中央処理装置１４１は、ＲＯＭ１４２、ＲＡＭ１４３に接続され、また、バス等を介して主チューナ２、副チューナ３、更には表示装置である表示部１２に接続されている。また、中央処理装置１４１は、図１及び図３には図示していないが、通信ボード、キーボード、マウス、磁気ディスク装置と接続されていてもよく、これらのハードウェアデバイスを制御することができる。
放送データ記憶部１０は、例えば、フラッシュメモリや磁気ディスク装置で実現されていてもよい。
更に、中央処理装置１４１は、ＦＤＤ（Ｆｌｅｘｉｂｌｅ  Ｄｉｓｋ  Ｄｒｉｖｅ）、コンパクトディスク装置（ＣＤＤ）、プリンタ装置、スキャナ装置と接続していてもよい。また、フラッシュメモリや磁気ディスク装置の代わりに、光ディスク装置、メモリカード（登録商標）読み書き装置などの記憶装置でもよい。
ＲＡＭ１４３は、揮発性メモリの一例である。ＲＯＭ１４２、ＦＤＤ、ＣＤＤ、磁気ディスク装置の記憶媒体は、不揮発性メモリの一例である。これらは、記憶装置の一例である。
通信ボード、キーボード、マウス、スキャナ装置、ＦＤＤなどは、入力装置の一例である。
また、通信ボード、表示装置、プリンタ装置などは、出力装置の一例である。
【００７９】
通信ボードは、例えば、ＬＡＮ（ローカルエリアネットワーク）、インターネット、ＷＡＮ（ワイドエリアネットワーク）などに接続されていても構わない。
【００８０】
フラッシュメモリ、磁気ディスク装置、ＲＯＭ１４２等には、オペレーティングシステム（ＯＳ）、プログラム群、ファイル群が記憶されている。
プログラム群のプログラムは、中央処理装置１４１がオペレーティングシステム等を利用しながら実行する。
【００８１】
また、ＲＡＭ１４３には、中央処理装置１４１に実行させるオペレーティングシステムのプログラムやアプリケーションプログラムの少なくとも一部が一時的に格納される。
また、ＲＡＭ１４３には、中央処理装置１４１による処理に必要な各種データが格納される。
【００８２】
また、ＲＯＭ１４２には、ＢＩＯＳ（Ｂａｓｉｃ  Ｉｎｐｕｔ  Ｏｕｔｐｕｔ  Ｓｙｓｔｅｍ）プログラムが格納され、磁気ディスク装置等にはブートプログラムが格納されている。
デジタル放送受信装置１００の起動時には、ＲＯＭ１４２のＢＩＯＳプログラム及び磁気ディスク装置等のブートプログラムが実行され、ＢＩＯＳプログラム及びブートプログラムによりオペレーティングシステムが起動される。
【００８３】
上記プログラム群には、実施の形態１〜３の説明において「〜部」として説明している機能を実行するプログラムが記憶されている。プログラムは、中央処理装置１４１により読み出され実行される。
【００８４】
ファイル群には、実施の形態１〜３の説明において、「〜の判断」、「〜の計算」、「〜の算出」、「〜の比較」、「〜の計測」、「〜の更新」、「〜の設定」、「〜の登録」、「〜の選択」等として説明している処理の結果を示す情報やデータや信号値や変数値やパラメータが、「〜ファイル」や「〜データベース」の各項目として記憶されている。
「〜ファイル」や「〜データベース」は、ディスクやメモリなどの記録媒体に記憶される。ディスクやメモリなどの記憶媒体に記憶された情報やデータや信号値や変数値やパラメータは、読み書き回路を介して中央処理装置１４１によりメインメモリやキャッシュメモリに読み出され、抽出・検索・参照・比較・演算・計算・処理・編集・出力・印刷・表示などの中央処理装置１４１の動作に用いられる。
抽出・検索・参照・比較・演算・計算・処理・編集・出力・印刷・表示の中央処理装置１４１の動作の間、情報やデータや信号値や変数値やパラメータは、メインメモリ、レジスタ、キャッシュメモリ、バッファメモリ等に一時的に記憶される。
また、実施の形態１〜３で説明しているフローチャートの矢印の部分は主としてデータや信号の入出力を示し、データや信号値は、ＲＡＭ１４３のメモリ、ＦＤＤのフレキシブルディスク、ＣＤＤのコンパクトディスク、磁気ディスク装置の磁気ディスク、その他光ディスク、ミニディスク、ＤＶＤ等の記録媒体に記録される。また、データや信号は、バスや信号線やケーブルその他の伝送媒体によりオンライン伝送される。
【００８５】
また、実施の形態１〜３の説明において「〜部」として説明しているものは、「〜回路」、「〜装置」、「〜機器」であってもよく、また、「〜ステップ」、「〜手順」、「〜処理」であってもよい。すなわち、「〜部」として説明しているものは、ＲＯＭ１４２に記憶されたファームウェアで実現されていても構わない。或いは、ソフトウェアのみ、或いは、素子・デバイス・基板・配線などのハードウェアのみ、或いは、ソフトウェアとハードウェアとの組み合わせ、さらには、ファームウェアとの組み合わせで実施されても構わない。ファームウェアとソフトウェアは、プログラムとして、磁気ディスク、フレキシブルディスク、光ディスク、コンパクトディスク、ミニディスク、ＤＶＤ等の記録媒体に記憶される。プログラムは中央処理装置１４１により読み出され、中央処理装置１４１により実行される。すなわち、プログラムは、実施の形態１〜３の「〜部」としてコンピュータを機能させるものである。あるいは、実施の形態１〜３の「〜部」の手順や方法をコンピュータに実行させるものである。
【００８６】
このように、実施の形態１〜３に示すデジタル放送受信装置１００は、処理装置たる中央処理装置、記憶装置たるメモリ、磁気ディスク等、入力装置たるキーボード、マウス、通信ボード等、出力装置たる表示装置、通信ボード等を備えるコンピュータであり、上記したように「〜部」として示された機能をこれら処理装置、記憶装置、入力装置、出力装置を用いて実現するものである。
【図面の簡単な説明】
【００８７】
【図１】実施の形態１に係るデジタル放送受信装置の構成例を示す図。
【図２】実施の形態１に係るデジタル放送受信処理の手順例を示すフローチャート図。
【図３】実施の形態２に係るデジタル放送受信装置の構成例を示す図。
【図４】実施の形態２に係るデジタル放送受信処理の手順例を示すフローチャート図。
【図５】実施の形態３に係る使用頻度計測処理の手順例を示すフローチャート図。
【図６】実施の形態３に係る各デジタル放送チャンネルの選局順位の例を示す図。
【図７】実施の形態１に係る制御回路における機能ブロックの例を示す図。
【図８】実施の形態３に係る制御回路における機能ブロックの例を示す図。
【符号の説明】
【００８８】
１  受信アンテナ、２  主チューナ、３  副チューナ、４  分離部、５  分離部、６  復号部、７  復号部、８  映像処理部、９  音声処理部、１０  放送データ記憶部、１１  表示制御部、１２  表示部、１３  音声出力部、１４  制御回路、１５  リモコン受信部、１００  デジタル放送受信装置、１４１  中央処理装置、１４２  ＲＯＭ、１４３  ＲＡＭ、１４４  入力部、１４５  出力部、１４６  主チューナ制御部、１４７  副チューナ制御部、１４８  タイマ、１４９  チャンネル使用頻度計測部、２００  リモコン。
【図１】
2010028251.tif 000003
【図２】
2010028251.tif 000004
【図３】
2010028251.tif 000005
【図４】
2010028251.tif 000006
【図５】
2010028251.tif 000007
【図６】
2010028251.tif 000008
【図７】
2010028251.tif 000009
【図８】
2010028251.tif 000010